(57)【要約】コンパクトタイプのオゾン歯ブラシは、ハンドル部とブラシ部を含み、歯ブラシは、オゾン発生器と、オゾン発生器として機能させるため、ハンドル部の回路セットを含み、回路に電源を供給するバッテリーを含む。
2009504282.tif 000002
【特許請求の範囲】
【請求項１】
ハンドル部とブラシ部とを備えたコンパクトオゾン歯ブラシにおいて、
コンパクトオゾン歯ブラシは、オゾン発生器とオゾン発生器の作動を可能にする回路がハンドル部に提供されることを特徴とするコンパクトオゾン歯ブラシ。
【請求項２】
コンパクトオゾン歯ブラシは、回路への電源供給に使用されるバッテリーを有することを特徴とする請求項１記載のコンパクトオゾン歯ブラシ。
【請求項３】
コンパクトオゾン歯ブラシは供給電源をコントロールするためのスイッチを有することを特徴とする請求項２記載のコンパクトオゾン歯ブラシ。
【請求項４】
ハンドル部は、ハンドル及び連結棒を有し、オゾン発生器はブラシ部及び連結棒に組み付けられ、回路が連結棒に配置され、かつブラシ部がハンドルに配置されていることを特徴とする請求項２記載のコンパクトオゾン歯ブラシ。
【請求項５】
ハンドル部は、ハンドル及び連結棒を有し、オゾン発生器はブラシ部又は連結棒に組み付けられ、回路及びバッテリーはハンドルに配置されていることを特徴とする請求項２記載のコンパクトオゾン歯ブラシ。
【請求項６】
オゾン発生器は、金属放電装置、オゾン発生チューブ又はセラミック部材からなることを特徴とする請求項１〜５のいずれかに記載のコンパクトオゾン歯ブラシ。
【請求項７】
ブラシ部はベース板、ベース板上の複数のブラシの束を有し、オゾン発生器はブラシ部に取り付けられており、ブラシ部はオゾン発生器を収容するシェルを有することを特徴とする請求項６記載のコンパクトオゾン歯ブラシ。
【請求項８】
ベース板はシェルに可動可能に連結されており、シェルはハンドル部に固定されていることを特徴とする請求項７記載のコンパクトオゾン歯ブラシ。
【請求項９】
ブラシ部は、外側シェルを有し、オゾン発生器を収容するためベース板に空洞を形成し、オーバーフロー孔及びオーバーフロースロットがベース板又は外側シェルに提供されていることを特徴とする請求項７記載のコンパクトオゾン歯ブラシ。
【請求項１０】
取り外し可能なバッテリーカバー又は取り外し可能なバッテリーボックスがハンドル部の自由端に提供されていることを特徴とする請求項７記載のコンパクトオゾン歯ブラシ。
【請求項１１】
バッテリーは再充電可能なバッテリーであり、コンパクトオゾン歯ブラシはハンドル部の周囲に巻回した誘導コイルを有し、誘導帯電回路は、誘導コイルと再充電可能なバッテリーの間に接続されていることを特徴とする請求項６記載のコンパクトオゾン歯ブラシ。
【請求項１２】
コンパクトオゾン歯ブラシは、ハンドルの内側に提供された振動ユニットを有することを特徴とする請求項１から５のいずれかに記載のコンパクトオゾン歯ブラシ。
【請求項１３】
振動ユニットは、偏心モーターで構成されていることを特徴とする請求項１２記載の歯ブラシ。
【発明の詳細な説明】
【技術分野】
【０００１】
本発明は、歯ブラシに関し、特にコンパクトなオゾン歯ブラシに関する。
【背景技術】
【０００２】
殺菌機能を有するオゾン歯ブラシに対する様々な構造がある。しかし、最近のオゾン歯ブラシは複雑な構造を有し、よくない意味で多機能性を有するが、人々の様々な機能の要求を満足させることができない。例えば、ブラシヘッドを容易に変更することができないということは受け入れ難いものであり、バッテリーのみの使用による歯ブラシの電力消費はとても大きいものである。それと同時に高いコストも受け入れ難いものである。従って、オゾン歯ブラシを使用している人口及び利用に関して直接の影響がある。その上、従来の歯ブラシは、複雑な構造で大きいサイズのもであった。
【発明の開示】
【０００３】
本発明の特徴は、漏出することなく、一定限度のオゾンを歯ブラシで使用されるようにしたコンパクトな構造を有するオゾン歯ブラシを提供することである。加えて、加圧ガスの必要とする従来のオゾン歯ブラシの複雑な構造の欠点が克服される。そして、また、再充電及び振動等の歯ブラシの構造のために、十分なフレキシブル性が考慮されている。
【０００４】
本発明の特徴によれば、ハンドル部及びブラシ部で構成されるコンパクトなオゾン歯ブラシを提供し、コンパクトなオゾン歯ブラシは、またオゾン発生器及びオゾン発生器の稼働を可能にするハンドル部内に設けられた回路を有する。
【０００５】
有利な点として、コンパクトなオゾン歯ブラシは、回路への電力供給に使用されるバッテリーと、電源供給をコントロールするスイッチを有する。
【０００６】
有利な点として、さらにハンドル部は、ハンドルと連結棒を有し、オゾン発生器がブラシ部又は連結棒に組み込まれ、回路は連結棒に配置され、バッテリーはハンドルに配置される。
【０００７】
有利な点として、オゾン発生器は金属排出装置、オゾン発生チューブ又はセラミック部材を有する。
【０００８】
有利な点として、ブラシ部はベース板、このベース板上の複数のブラシの束とを有し、オゾン発生器がブラシ部に取り付けられたとき、ブラシ部はオゾン発生器を収容するシェルを有する。
【０００９】
有利な点として、ベース板は、シェルに可動可能に連結されていて、シェルはハンドル部に固定されている。
【００１０】
有利な点として、ブラシ部はさらに外側シェルを有していて、ベース板にオゾン発生器を収容するための空洞を形成し、オーバーフロー用孔又はスロットがベース板又は外側シェルに提供される。
【００１１】
有利な点として、取り外し可能なバッテリーカバー又取り外し可能なバッテリーボックスがハンドル部の自由端に提供される。
【００１２】
有利な点として、バッテリーは再充電可能なバッテリーであり、コンパクトなオゾン歯ブラシは、ハンドル部の周囲に巻回された誘導コイルとこの誘導コイル及び再充電可能バッテリーの間に接続された誘導帯電回路（induction charging circuit）を有する。
【００１３】
有利な点として、また、コンパクトオゾン歯ブラシは、バッテリーによって電力が供給される振動ユニットを有し、歯ブラシに振動を提供し、振動ユニットは偏心モーターであってもよい。
【００１４】
本発明に提供されるオゾン歯ブラシは、以下の極めて有利な点を有する。発生されたオゾンは、歯ブラシのブラシ部に直接適用されるので、ガス加圧装置は必要ではなく、それによって、オゾン歯ブラシの大きさは非常に小さくできる。さらに構造の十分なフレキシブル性もまた考慮されている。例えば、ブラシヘッドは取り替え可能であり、バッテリーは再充電可能であり、歯ブラシは振動性を有する。
【発明を実施するための最良の形態】
【００１５】
図１に示されるように、本発明の実施例１に係るコンパクトオゾン歯ブラシは、ハンドル部及びブラシ部２を有する。オゾン発生器３はブラシ部２に組み付けられている。ハンドル部は、さらにハンドル１及び連結棒４を有している。オゾン発生器３の駆動回路５は連結棒４内に配置されている。バッテリー６は駆動回路５に電源を供給するために使用され、スイッチ７はバッテリーの電源供給をコントロールするために使用される。バッテリー６及びスイッチ７の両方はハンドル１に配置される。オゾン発生器は金属放電出器具、オゾン発生チューブ又はセラミック部材でもよい。バッテリーは、再充電可能なバッテリーでもよい。誘導コイル（図示しない）はハンドル部の周囲に巻回され、外側の誘導帯電回路を通じて再充電可能なバッテリーを充電するのに使用される誘導帯電回路が誘電コイル及び再充電可能なバッテリーの間に接続される。
【００１６】
図２に示されるように、本発明の実施例２に係るコンパクトオゾン歯ブラシはハンドル部及びブラシ部２を有する。ハンドル部はさらにハンドル１及び連結棒４を有する。オゾン発生器３は、連結棒４内に組み付けられている。オゾン発生器３の駆動回路５及びバッテリーに電源を供給するのをコントロールするスイッチ７と同様にバッテリーも全てハンドル１内に配置される。
【００１７】
図３に示されるように、本発明の実施例３に係るコンパクトオゾン歯ブラシは、ハンドル部とブラシ部２を有する。オゾン発生器３は、ブラシ部２に取り付けられている。ハンドル部は、さらにハンドル１及び連結棒４を有する。オゾン発生器３の駆動回路３及びバッテリーはハンドル１に配置される。バッテリーの供給電源をコントロールするスイッチ７もまたハンドル１内に組み付けられる。ブラシ部２はベース板２１及び複数のブラシ毛２２の束がベース板２１上に提供される。オゾン発生器がブラシ部２内に組み付けられるとき、ブラシ部２は、オゾン発生器３を収容するために使用されるシェル２３を有する。付言すると、シェル２３はオゾン発生器２３を収容するために中空部がある。ここで、２つの電極及び接続ワイヤ（図示しない）は、連結棒を通じて駆動回路５に接続されている。
【００１８】
他の実施形態では、ベース板は、シェルに可動可能に連結されていて、シェルはハンドル部に固連結されている。
【００１９】
さらなる実施形態では、ブラシ部は外側シェルを有し、オゾン発生器を収容するためにベース板に空洞部を形成する。オーバーフロー孔とオーバーフロースロットは、ベース板又は外側シェルに提供される。取り外し可能なバッテリーカバー又は取り外し可能なバッテリーボックスはハンドル部の自由端に提供される。
【００２０】
他の実施形態では、振動装置がハンドルに提供される。振動装置は偏心モーターであってもよい。この方法では、振動とマッサージの２つの機能が提供される。
【図面の簡単な説明】
【００２１】
【図１】図１は、本発明の実施例１に係るコンパクトオゾン歯ブラシの構造図である。
【図２】図２は、本発明の実施例２に係るコンパクトオゾン歯ブラシの構造図である。
【図３】図３は、本発明の実施例３に係るコンパクトオゾン歯ブラシの構造図である。
【図１】
2009504282.tif 000003
【図２】
2009504282.tif 000004
【図３】
2009504282.tif 000005
【国際調査報告】
2009504282.tif 000006
2009504282.tif 000007
2009504282.tif 000008
2009504282.tif 000009